(57)【特許請求の範囲】
【請求項１】
打設されるコンクリートと一体となって残存する型枠として用いられる住宅用残存化粧型枠であって、
最上部には、打設されるコンクリート上面の高さを調節するための高さ調整壁が立設され、
該住宅用残存化粧型枠は、主成分が樹脂からなり、
該高さ調整壁の最下部には、コンクリートが固まった後、前記高さ調整壁を折り曲げて除去することが可能なように、住宅用残存化粧型枠の外側面側に切り欠きが形成されることを特徴とする住宅用残存化粧型枠。
【請求項２】
該住宅用残存化粧型枠の上部壁の高さ調整壁よりコンクリート側と反対側に、水平に延びる溝が所定の長さとなるように仕切壁で区画されて形成されていることを特徴とする請求項１に記載の住宅用残存化粧型枠。
【請求項３】
所定幅を有する化粧面の左右の端部に沿って、少なくともその一部に、幅方向に向かう突部、又は、切り欠きが形成されるとともに、複数の住宅用残存化粧型枠を幅方向に連結する際、前記突部と切り欠きとの組み合わせになるように構成されている請求項１又は２に記載の住宅用残存化粧型枠。
【請求項４】
該住宅用残存化粧型枠の左側壁及び右側壁に非円形状のジョイント用貫通孔が形成され、一の住宅用残存化粧型枠の右側壁のジョイント用貫通孔と他の住宅用残存化粧型枠の左側壁のジョイント用貫通孔を重ね、縦長の本体とその一端に本体に垂直に設けられた突起と該突起の先端に設けられた係止部とからなるジョイントレバーの突起をジョイント用貫通孔に挿通し、該突起を中心としてジョイントレバーを回転させると、 該係止部と該本体とで一の住宅用残存化粧型枠の右側壁と他の住宅用残存化粧型枠の左側壁を挟持した状態となり、二つの住宅用残存化粧型枠を側壁を介して連結することができることを特徴とする請求項１〜３のいずれかに記載の住宅用残存化粧型枠。
【発明の詳細な説明】
【技術分野】
【０００１】
この発明は、住宅の建造において基礎の施工の際に用いられ、化粧モルタルの代わりとなる住宅用残存化粧型枠に関する。
【背景技術】
【０００２】
木造住宅等の建造物を建築する際、建物を建てるべき部位の外殻部や内殻部にコンクリート製の基礎を作り、その上に木材の土台を固定して木製土台の上に柱を立て、柱の上に梁を載せるという手法がある。このような手法は、伝統的な日本建築の手法であり、木造住宅の建築において広く採用されている。
【０００３】
図１１は、従来の基礎の施工方法を示す断面図である。この基礎は、いわゆる布基礎と呼ばれるものである。
図１１に示すように、基礎を作製する際には、まず、建物を建てるべき部位の外殻部や内殻部を所定の幅掘り下げた後、平らにし、その上に割栗石１０１と言われる大きめの石を敷き、割栗石１０１の間に砕石といわれる砂利を敷き詰める。
次に、割栗石１０１の上に、捨てコンクリート１０２と言われるコンクリートを打設する。捨てコンクリート１０２とは、基礎の最下部にあたる下地のコンクリートをいう。捨てコンクリート１０２は、できるだけ平らにしておく。この捨てコンクリート１０２の上に、スペーサブロック１０４ａを介して鉄筋１０３を配筋していくが、図１１に示すように、鉄筋１０３は、捨てコンクリート１０２に略平行な鉄筋１０３ａと垂直な鉄筋１０３ｂとを設ける。
【０００４】
この後、さらにコンクリートを形成するが、捨てコンクリート１０２に平行な鉄筋１０３ａは、捨てコンクリート１０２の上に形成する基礎のベース部１０４に埋設され、捨てコンクリート１０２に垂直な鉄筋１０３ｂは、ベース部１０４の上に形成される立ち上がり部１０６（以下においては、基礎コンクリートということとする）に埋設され、これらのコンクリートが鉄筋１０３ａ、１０３ｂにより強化される。
【０００５】
ここで、本発明の対象となる基礎コンクリート１０６の形成方法をさらに詳しく説明する。まず、基礎コンクリート１０６を形成するための空間が形成されるように、硬化したベース部１０４上に、対向する２枚の型枠１０５を立設し、型枠１０５の上下をコの字状の巾止金具１０７で固定する。なお、型枠１０５がしっかりと固定されるように、型枠１０５の下に設ける巾止金具１０７は、釘１１０を用いてベース部分１０４に固定する。
【０００６】
この後、原料コンクリート（以下、生コンクリートという）を型枠に流し込み、数日放置して固化させることにより、基礎コンクリート１０６が形成される。この基礎コンクリート１０６には、アンカーボルト（図示せず）の一部が埋設され、他の部分が突出した状態で固定される。
【０００７】
基礎コンクリート１０６を形成した後、基礎コンクリート１０６の上面には、基礎パッキンを介して木製土台が載置され、アンカーボルトにより固定されるが、木製土台は、床や外壁材、内壁材を設ける際のベースとなるものである。従って、基礎コンクリート１０６の上面は、正確に水平に形成されている必要があり、そのために、基礎コンクリート１０６の上面にレベリング剤を流し込んで水平面を確保する場合もある。
この後、通常は、基礎コンクリート１０６の外側面にモルタルを塗工することにより、基礎部分の外側面に化粧を施し、基礎部分の施工工程が終了する。
【０００８】
なお、図１１に示した基礎では、割栗石１０１や捨てコンクリート１０２は、基礎コンクリート１０６の下に所定の幅で設けられており、その他の部分にコンクリートは設けられていないが、最近では防湿も兼ねて、ベタ基礎と呼ばれる建物を建てる部分全体にコンクートを打設する方法も採用されている。
【０００９】
ベタ基礎の施工を行う場合には、建物を建てる部分及びその外縁を含む部分全体に割栗石及び砕石を水平に敷き詰め、その上に捨てコンクリートを打設し、さらにその上に鉄筋を含むベース部のコンクリートを形成する。この後、上述と略同様の施工方法をとり、基礎コンクリートを形成する。ただし、排水等を考慮し、割栗石及び捨てコンクリートは、外縁部分を一段低くし、内側の高い部分との間には、内側から外側に向かって次第に低くなるようにスロープが形成される。
【００１０】
このような基礎の施工方法における最終工程では、通常、上述したように、基礎コンクリート１０６の外側面に化粧モルタルを形成するが、最近、人手がかからないように化粧モルタルの形成工程を省略しようとする動きがある。
【００１１】
すなわち、基礎コンクリート１０６を形成する際に使用される型枠を、コンクリートと一体化させてそのまま残し、この型枠に化粧モルタルの役目をも果たさせる、いわゆる残存化粧型枠と言われるものが提案されており、例えば、特許文献１には、リサイクル材のアルミ又は産業廃棄物利用のプラスチックを使用した残存化粧型枠が開示されている。
【００１２】
図１２は、この残存化粧型枠を用いた基礎コンクリートの形成方法を模式的に示す斜視図である。
この残存化粧型枠１１１は、矩形状の板状体１１２と、その周囲に設けられた枠１１３と、内部にその強度を確保するために形成された中縦リブ１１８とから構成され、外側は、化粧面１１４となっている。
この残存化粧型枠１１１を用いた基礎の施工方法においては、単管パイプ１１５、巾止金具１１６、フォームタイ１１７、六角ジョイントナット１１９等を用いて、残存化粧型枠１１１と対向する内側型枠１２１との間に所定の空間が確保されるように、両者が固定される。そして、残存化粧型枠１１１と内側型枠１２１の間に、生コンクリートが流し込まれ、硬化することにより基礎コンクリート１２０が形成される。
【００１３】
【特許文献１】実開２００１−２７１３６４号公報
【発明の開示】
【発明が解決しようとする課題】
【００１４】
しかしながら、上記した基礎の施工方法においては、巾止金具１１６、フォームタイ１１７、六角ジョイントナット１１９等を用いて型枠を固定しているため、化粧面１１４に巾止金具１１６が残存してしまい、見栄えがよくなく、住宅用には向いていないという問題があった。
また、中縦リブ１１８は幅が狭く、長さ方向に形成されているのみであるため、残存化粧型枠１１１自体の強度が不充分であり、また、中縦リブ１１８のコンクリートとの接触面積が小さく、コンクリートとの密着性に劣るという問題があった。
【００１５】
さらに、残存化粧型枠１１１を有する住宅用の基礎コンクリートを形成する際には、基礎コンクリート上にパッキンや土台を載置する必要があり、型枠との段差があると土台を載置しにくいため、生コンクリートを型枠の最上部まで流し込むか、レベリング剤をコンクリートの上に流し、基礎コンクリートの上面を型枠の最上部と同じにする必要がある。しかしながら、生コンクリートやレベリング剤が型枠の上から溢れ出た場合には、化粧面１１４をコンクリートで汚してしまうという問題があった。
【課題を解決するための手段】
【００１６】
そこで、本発明者は、これらの問題を解決するために、基礎コンクリートの上面が水平面となるように、生コンクリート等を型枠の上部まで流し込んでも、化粧面が汚れるおそれのない住宅用残存化粧型枠、コンクリートとの密着性に優れ、形成した基礎コンクリートが充分な強度を有するとともに、基礎コンクリートと完全に一体化することが可能な住宅用残存化粧型枠等を提供することを目的とした出願を先に行った。
【００１７】
この後、さらに検討を重ねた結果、上記住宅用残存化粧型枠等をさらに改良することにより、組み立てられた型枠の上面が完全に水平にならない場合であっても、生コンクリート等を型枠の上部まで流し込んだ際、コンクリート等により化粧面が汚れるおそれのない住宅用残存化粧型枠、及び、長さ方向（基礎コンクリートの延びる方向）に連結した際に、継ぎ目に少しの隙間が形成されても、見栄えに影響しない住宅用残存化粧型枠を提供することができることを見出し、本発明を完成させた。
【００１８】
すなわち、本発明は、以下のようなものを提供する。
（１）打設されるコンクリートと一体となって残存する型枠として用いられる住宅用残存化粧型枠であって、
最上部には、打設されるコンクリート上面の高さを調節するための高さ調整リブが立設されていることを特徴とする住宅用残存化粧型枠。
【００１９】
（１）の発明によれば、最上部に高さ調整リブが立設されているので、組み立てられた型枠の上面が完全に水平にならず、生コンクリート等を型枠の上部まで流し込んだ際、コンクリートの上面の一部が上部壁の最上部より高くなっても、コンクリート等により化粧面が汚れるおそれがなく、化粧面の美観を保つことができる。
【００２０】
さらに、本発明は、以下のようなものを提供する。
（２）  上記（１）記載の住宅用残存化粧型枠であって、
上記高さ調整リブの最下部には、コンクリートが固まった後、上記高さ調整リブを折り曲げて除去することが可能なように、切り欠きが形成されていることを特徴とする住宅用残存化粧型枠。
【００２１】
（２）の発明によれば、上記高さ調整リブの最下部に切り欠きが形成されているので、打設されたコンクリートが固まった後、上記高さ調整リブを折り曲げて除去することが可能であり、コンクリート上面から高さ調整リブが突出するのを防止することができる。
【００２２】
さらに、本発明は、以下のようなものを提供する。
（３）  上記（１）又は（２）に記載の住宅用残存化粧型枠であって、
所定幅を有する化粧面の左右の端部に沿って、少なくともその一部に、幅方向に向かう突部、又は、切り欠きが形成されるとともに、複数の住宅用残存化粧型枠を幅方向に連結する際、上記突部と切り欠きとの組み合わせになるように構成されていることを特徴とする住宅用残存化粧型枠。
【００２３】
（３）の発明によれば、複数の住宅用残存化粧型枠を幅方向に連結する際、端部における組み合わせが、上記突部と切り欠きとの組み合わせになるように構成されているので、コンクリートの重みやその他の理由から、継ぎ目に少しの隙間が形成されても、上記突部でカバーすることができ、見栄えに影響せず、化粧面の美観を保つことができる。
【００２４】
さらに、本発明は、以下のようなものを提供する。
（４）  打設されるコンクリートと一体となって残存する型枠として用いられる住宅用残存化粧型枠であって、
所定幅を有する化粧面の左右の端部に沿って、少なくともその一部に、幅方向に向かう突部、又は、切り欠きが形成されるとともに、複数の住宅用残存化粧型枠を幅方向に連結する際、上記突部と切り欠きとの組み合わせになるように構成されていることを特徴とする住宅用残存化粧型枠。
【００２５】
（４）の発明によれば、複数の住宅用残存化粧型枠を幅方向に連結する際、端部における組み合わせが、上記突部と切り欠きとの組み合わせになるように構成されているので、コンクリートの重みやその他の理由から、継ぎ目に少しの隙間が形成されても、上記突部でカバーすることができ、見栄えに影響せず、化粧面の美観を保つことができる。
【発明の効果】
【００２６】
本発明によれば、組み立てられた型枠の上面が完全に水平にならない場合であっても、コンクリート等により化粧面が汚れるおそれがなく、化粧面の美観を保つことができる住宅用残存化粧型枠、複数の住宅用残存化粧型枠を幅方向に連結する際、上記突部と切り欠きとの組み合わせになるように構成されているので、コンクリートの重みやその他の理由から、継ぎ目に少しの隙間が形成されても、上記突部でカバーすることができ、見栄えに影響せず、化粧面の美観を保つことができる住宅用残存化粧型枠を提供することができる。
【発明を実施するための最良の形態】
【００２７】
以下、本発明の実施形態について図面を用いて説明する。
勿論、本発明は、以下の実施形態に限定されるものではなく、本発明の構成を充足する範囲内で、適宜設計変更を行うことが可能である。
【００２８】
図１（ａ）は、本発明に係る住宅用残存化粧型枠を用いた布基礎を模式的に示す断面図であり、（ｂ）は、（ａ）に示した住宅用残存化粧型枠において、Ａで示す最上部付近を拡大した拡大断面図である。図２（ａ）〜（ｅ）は、上記住宅用残存化粧型枠を模式的に示す図であり、（ａ）は平面図、（ｂ）は左側面図、（ｃ）は正面図、（ｄ）は右側面図、（ｅ）は、背面図である。なお、○で囲った部分は、その部分の拡大して示している。
【００２９】
図３（ａ）は、図２においてＢで示す部分の拡大水平断面図であり、図３（ｂ）は、Ｃで示す部分の拡大水平断面図である。図４は、本発明に係る布基礎の施工に用いられる巾止接合用金具を示す図であり、（ａ）は側面図、（ｂ）は正面図、（ｃ）は底面図である。図５（ａ）は、本発明に係る布基礎の施工に用いられる角材固定用金具の一例を示す側面図であり、（ｂ）は別の角材固定用金具を示す側面図である。
【００３０】
図１に示すように、布基礎の施工の際には、まず、建物を建てるべき部位の外殻部や内殻部を所定の幅掘り下げた後、平らにし、その上に割栗石１０１を敷き、割栗石１０１の間に砕石を敷き詰める。
次に、割栗石１０１の上に、平らになるように捨てコンクリート１０２を打設する。この捨てコンクリート１０２の上に、スペーサブロック１０４ａを介して、捨てコンクリート１０２に略平行な鉄筋１０３ａと垂直な鉄筋１０３ｂとからなる鉄筋１０３を配筋する。
【００３１】
この後、捨てコンクリート１０２に平行な鉄筋１０３ａが埋設されるように、ベース部１０４となるコンクリートを打設し、その上に捨てコンクリート１０２に垂直な鉄筋１０３ｂが埋設されるように、立ち上がり部となる基礎コンクリート１０６を打設する。
【００３２】
本発明では、この基礎コンクリート１０６を打設する際に、本発明に係る住宅用残存化粧型枠１０を用いて基礎コンクリート１０６を形成する。住宅用残存化粧型枠１０は、形成された基礎コンクリート１０６と一体化した状態となり、化粧モルタルの代わりに基礎コンクリート１０６の外表面に残存する。
【００３３】
まず、本発明に係る住宅用残存化粧型枠について説明する。
図１、２に示すように、この住宅用残存化粧型枠１０は、外側表面１１ｂに化粧が施された型枠本体１１と、型枠本体１１の左右の端部に設けられた左側壁１２及び右側壁１３と、上部及び下部に設けられた上部壁１４及び下部壁１５と、これら周壁と連結するリブ１６（水平方向に形成された横リブ１６ａ及び鉛直方向に形成された縦リブ１６ｂ）とからなる。
【００３４】
図１に示す型枠本体１１は、下にいくに従って外に拡がるように段部が形成されているが、型枠本体の形状は、図１に示す形状に限られず、平板等により構成されていてもよい。
型枠本体１１の外表面１１ｂには、見栄えがよいように化粧が施されている。型枠本体１１の外表面１１ｂは、見栄えをよくするため、色彩、模様、凹凸形状等やこれらを結合したものが施されていてもよく、単に平面であってもよい。
【００３５】
本発明の住宅用残存化粧型枠の材料としては、特に限定されるものではなく、例えば、金属材料、樹脂材料等を挙げることができる。金属材料としては、特に限定されるものではないが、例えば、ステンレス、鋳鉄等を挙げることができる。セラミックを用いることとしてもよい。樹脂材料としては、特に限定されるものではないが、例えば、ポリプロピレン、ポリエチレン、アクリロニトリル・ブタジエン・スチレン樹脂（ＡＢＳ）、ポリ塩化ビニル、ナイロン等を挙げることができる。また、樹脂材料として、例えば、天然ゴム（ＮＲ）、スチレン・ブタジエンゴム（ＳＢＲ）、クロロプレンゴム（ＣＲ）等のゴム材料を挙げることができる。これらの材料は、単独で用いてもよく、２種以上を併用してもよい。また、上述の樹脂材料に加え、例えば、炭酸カルシウム、ガラス繊維等のフィラーを混合したものを用いてもよい。
住宅用残存化粧型枠１０の厚さは、コンクリートの打設圧に充分耐え得る程度の強度となる厚さが望ましく、この厚さは材料によっても異なるが、通常、最大厚みで１０〜１００ｍｍ程度が望ましい。
【００３６】
住宅用残存化粧型枠１０の上部壁１４には、水平に延びる溝１４ａが形成されており、生コンクリートを長し込んだ際、生コンクリートの一部が上面から溢れ出しても、溢れ出した液等が１４ａ溝に流れ込み、外側の化粧面を汚さず、化粧面の美観を保つことができるようになっている。
【００３７】
この溝１４ａの幅は、３ｍｍ程度以上であることが望ましく、その深さは、幅との関係で決定すればよいが、深い方が望ましい。具体的には、３ｍｍ程度以上であることが望ましい。住宅用残存化粧型枠１０の主成分として樹脂を用いた場合には、押出成形により容易に溝を形成することができる。従って、住宅用残存化粧型枠１０は、主成分が樹脂からなるものが望ましい。
【００３８】
上部壁１４の上部の溝１４ａよりコンクリート側には、コンクリート上面の高さを調節するための高さ調整リブ１７が立設されている（図１（ｂ）参照）。この住宅用残存化粧型枠１０には、高さ調整リブ１７が立設されているので、組み立てられた住宅用残存化粧型枠１０の上面が完全に水平にならない場合であっても、生コンクリート等を住宅用残存化粧型枠１０の上部まで流し込んだ際、コンクリートの上面の一部が上部壁１４の最上部より高くなっても、コンクリート等により化粧面が汚れるおそれがなく、化粧面の美観を保つことができる。
高さ調整リブ１７の高さは、１０〜５０ｍｍ程度が望ましく、１５〜３５ｍｍ程度がより望ましい。
【００３９】
高さ調整リブ１７の最下部には、コンクリートが固まった後、高さ調整リブ１７を折り曲げて除去することが可能なように、切り欠き１７ａが形成されている。従って、打設されたコンクリートが固まった後、高さ調整リブ１７を折り曲げて除去することが可能であり、これにより、コンクリート上面から高さ調整リブ１７が突出するのを防止することができる。高さ調整リブ１７がコンクリート上面より突出していると、基礎コンクリート１０６の上に基礎パッキン等を載置することができない場合があるので、除去することが望ましい。
【００４０】
周壁と連結するように形成された横リブ１６ａ及び縦リブ１６ｂは、互いに交差するように形成されており、そのため、この住宅用残存化粧型枠１０自体の強度が高く、コンクリートとの密着性にも優れ、基礎コンクリート１０６が充分な強度を有することとなる。
図１に示した住宅用残存化粧型枠１０では、横リブ１６ａ及び縦リブ１６ｂは、水平方向と垂直方向に形成されているが、リブの形成方向は、上記態様に限定されるものではなく、一方又は両方が傾斜するように形成されていてもよい。
この住宅用残存化粧型枠１０は、形成した基礎コンクリート１０６と完全に一体化し、住宅用残存化粧型枠１０が外側表面の化粧板の役割を果たすため、化粧モルタルを形成する必要がなくなる。
【００４１】
型枠本体１１の左右の端部に設けられた左側壁１２及び右側壁１３には、円と楕円とを連結した形状のジョイント用貫通孔１８が形成されている。このジョイント用貫通孔１８は、複数の住宅用残存化粧型枠１０を連結する際に用いられる。
【００４２】
図６（ａ）は、住宅用残存化粧型枠１０を連結する際に用いられるジョイントレバーを示す平面図であり、（ｂ）は、その正面図である。
このジョイントレバー４０は、縦長の本体４１とその一端に本体４１に垂直に設けられた突起４２と突起４２の先端に設けられた係止部４３とからなる。
住宅用残存化粧型枠１０を連結する際には、例えば、まず、一の住宅用残存化粧型枠１０の右側壁１３と他の住宅用残存化粧型枠１０の左側壁１４とがほぼ密着するように、両者を配置する。
【００４３】
上記のように配置すると、一の住宅用残存化粧型枠１０の右側壁１３のジョイント用貫通孔１８と他の住宅用残存化粧型枠１０の左側壁１４のジョイント用貫通孔１８が丁度重なる。そこで、図６に示したジョイントレバー４０の突起４２をジョイント用貫通孔１８に挿通し、突起４２を中心としてジョイントレバー４０を回転させると、ジョイントレバー４０の係止部４３と本体４１とで一の住宅用残存化粧型枠１０の右側壁１３と他の住宅用残存化粧型枠１０の左側壁１４を挟持した状態となる。このようなジョイントレバー４０のよる連結を複数の箇所で行うことより、二つの住宅用残存化粧型枠１０が側壁を介して連結されることとなる。
【００４４】
また、図３（ａ）に示すように、外側表面１１ｂの端部（図３（ａ）右上部分）には、切り欠き１１ｃが形成されている。また、図３（ｂ）に示すように、外側表面１１ｂの反対側の端部（図３（ｂ）左上部分）には、幅方向（図３（ｂ）上下方向）に向かう突部１１ｄが形成されている。この切り欠き１１ｃ及び突部１１ｄは、外側表面１１ｂの左右の端部の図示する一定範囲に形成されている。
【００４５】
図２では、型枠本体１１の最上部から最下部より少し上の部分まで形成されており、型枠本体１１の端部の長さのおよそ８０％の部分に形成されているが、本発明において、切り欠き１１ｃ及び突部１１ｄの長さは特に限定されるものではなく、型枠本体１１の端部の全体に形成されていてもよく、図２に示した長さよりも短くても良い。
【００４６】
切り欠き１１ｃ及び突部１１ｄは、一の住宅用残存化粧型枠１０に形成された切り欠き１１ｃと、連結する他の住宅用残存化粧型枠１０に形成された突部１１ｄとの組み合わせになるように構成されており、突部１１ｄの長さと切り欠き１１ｃの長さとは同じになっており、同じ箇所から始まって同じ場所で終了している。
上述のジョイントレバー４０を用いて複数の住宅用残存化粧型枠１０を幅方向に連結し、コンクリートを流し込んで固めた際、コンクリートの重さ等に起因して継ぎ目に少しの隙間が形成されてしまう場合があるが、そのような場合においても、突部１１ｄで隙間部分をカバーすることができるので、見栄えに影響せず、化粧面の美観を保つことができる。
【００４７】
図２に示した住宅用残存化粧型枠１０では、一方の端部に突部１１ｄが形成されており、他方の端部に切り欠き１１ｃが形成されているが、両方の端部に切り欠きが形成されていてもよく、両方の端部に突部が形成されていても良い。ただし、突部が形成された住宅用残存化粧型枠の端部に隣り合う別の住宅用残存化粧型枠の端部には切り欠きが形成されている必要があり、切り欠きが形成された住宅用残存化粧型枠の端部に隣り合う別の住宅用残存化粧型枠の端部には、突部が形成されている必要がある。
【００４８】
本発明の住宅用残存化粧型枠では、側部、上部のほかに、下部にも壁面が形成されているが、下部には、壁面が存在しなくてもよい。
【００４９】
本発明に係る基礎の施工方法においては、ベース部１０４の上に基礎コンクリート１０６を形成する際、ベース部１０４上に、住宅用残存化粧型枠１０と内側型枠１０８との間に所定の空間が確保されるように、住宅用残存化粧型枠１０及び内側型枠１０８を載置し、コの字状の巾止金具１０７を用いることにより固定して枠組みを行う。
【００５０】
その際、住宅用残存化粧型枠１０及び内側型枠１０８の下に設ける巾止金具１０７は、釘１１０を用いてベース部分１０４に固定する。住宅用残存化粧型枠１０の上部壁１４には溝１４ａが形成され、生コンクリートが溢れた際に、溝１４ａに流れ込むようにしているため、住宅用残存化粧型枠１０の高さは、内側型枠１０８の高さよりも低く設定されており、このままでは固定が難しい。そこで、上部を巾止金具１０７で固定する際には、図４に示すような巾止接合用金具２０を用いる。
【００５１】
図４に示したように、巾止接合用金具２０は、帯状の平板に種々の加工を施して形成したものであり、上部は巾止金具１０７に係合が可能なように、２度直角に屈曲させることにより係合部２２が形成され、下部には、住宅用残存化粧型枠１０の溝１４ａに嵌合させるための嵌合部２１が形成されている。なお、長さ方向には、強度を高めるために、溝加工が施されている。
【００５２】
従って、係合部２２が外側になるようにして、巾止接合用金具２０の嵌合部２１を住宅用残存化粧型枠１０の溝１４ａに嵌合させることにより、巾止接合用金具２０を住宅用残存化粧型枠１０の上部に固定し、その上から巾止金具１０７をかぶせるように設置することにより、住宅用残存化粧型枠１０と内側型枠１０８とをしっかりと固定することができる。内側型枠１０８としては、従来より広く使用されている既存の断面視矩形状の型枠を使用することができる。
【００５３】
上述のように、住宅用残存化粧型枠１０は、ジョイントレバー４０を用いることにより、横方向に連結されてはいるものの、強度が充分とは言えないので、生コンクリートを流し込んだときの圧力に耐えることができるよう、住宅用残存化粧型枠１０の外側に水平方向に角材を掛け渡し、住宅用残存化粧型枠１０にずれが生じないように固定する。
【００５４】
そのための治具として、図５に示すような角材固定用金具を用いる。
図５（ａ）に示す角材固定用金具２５は、住宅用残存化粧型枠１０の上部外側に角材を固定するための治具で、帯状の金具を屈曲加工したものであり、その上部に上部壁係合部２６が形成され、下部に角材受け部２７が形成されている。従って、上部壁係合部２６を住宅用残存化粧型枠１０の上部壁１４に係合し、角材受け部２７で角材１０９を受けることにより、角材１０９を住宅用残存化粧型枠１０の外側上部表面に固定することができる。
【００５５】
図５（ｂ）に示す角材固定用金具３０は、住宅用残存化粧型枠１０の下部外側に角材を固定するための治具で、同様に帯状の金具を屈曲加工したものであり、上部右側に係合部３１が形成され、上部左側に角材受け部３２が形成されている。
図２に示すように、住宅用残存化粧型枠１０の左側下部には、別の切り欠きが形成され、この切り欠きに角材固定用金具３０を係合するための角材固定用金具係合部１１ａが形成されている。従って、図１に示すように、この角材固定用金具係合部１１ａに角材固定用金具３０の係合部３１を引っ掛けて固定し、角材固定用金具３０の角材受け部３２で角材１０９を受けることにより、角材１０９を住宅用残存化粧型枠１０の外側下部表面に固定することができ、住宅用残存化粧型枠１０の変形やずれを防止することができる。
【００５６】
次に、住宅用残存化粧型枠を用いた基礎の施工方法をさらに詳しく説明する。
上述したように、ジョイントレバー４０を用いることにより、住宅用残存化粧型枠１０を連結することができる。ただし、布基礎を形成する際、布基礎の屈曲している部分をどのように連結するかが問題となる。
【００５７】
布基礎が内側に引っ込むように直角に屈曲している場合には、図７に示す形状の住宅用残存化粧型枠５０、６０を用い、布基礎が外側に突出するように直角に屈曲している場合には、図８に示す形状の住宅用残存化粧型枠７０を用いる。
【００５８】
図７は、内側に引っ込むように直角に屈曲した型枠を形成する際に使用される２つの住宅用残存化粧型枠を示す図で、図７（ａ）は、上記２つの住宅用残存化粧型枠を連結した状態を示す平面図であり、図７（ｂ）、（ｃ）は、それぞれの住宅用残存化粧型枠を示す正面図であり、図７（ｄ）、（ｅ）は、図７（ｂ）、（ｃ）に示した図面においてＤ、Ｅで示す部分の拡大水平断面図である。
【００５９】
図７に示すように、住宅用残存化粧型枠５０は左側壁５２が型枠本体５１に対して１３５°傾いて形成されており、住宅用残存化粧型枠６０は右側壁６３が型枠本体６１に対して１３５°傾いて形成されている。従って、ジョイントレバー４０を用いて住宅用残存化粧型枠５０と住宅用残存化粧型枠６０とを接合させると、図７（ａ）に示すように、内側に屈曲した住宅用残存化粧型枠を組み立てることができる。
【００６０】
また、住宅用残存化粧型枠５０、６０の上部壁５４、６４には、コンクリート上面の高さを調節するための高さ調整リブ５７、６７が立設されている。このように、住宅用残存化粧型枠５０、６０に、高さ調整リブ５７、６７が立設されているので、組み立てられた住宅用残存化粧型枠５０、６０の上面が完全に水平にならない場合であっても、生コンクリート等を住宅用残存化粧型枠５０、６０の上部まで流し込んだ際、コンクリートの上面の一部が上部壁５４、６４の最上部より高くなっても、コンクリート等により化粧面が汚れるおそれがなく、化粧面の美観を保つことができる。
【００６１】
さらに、住宅用残存化粧型枠５０、６０とも、上述した側壁と反対側の側壁は、型枠本体５１、６１に対して垂直に形成されており、図２に示した住宅用残存化粧型枠１０と同様に構成されている。
そして、図７（ｄ）に示すように、外側表面５１ｂの端部（図７（ｄ）左上部分）には、幅方向（図７（ｄ）に上下方向）に向かう突部５１ｄが形成されている。また、図７（ｅ）に示すように、外側表面６１ｂの端部（図７（ｅ）右上部分）には、切り欠き６１ｃが形成されている。
【００６２】
このように、住宅用残存化粧型枠５０の外側表面５１ｂの端部には、突部５１ｄが形成されており、住宅用残存化粧型枠６０の外側表面６１ｂの端部には、切り欠き６１ｃが形成されているため、住宅用残存化粧型枠５０及び住宅用残存化粧型枠６０を連結して内側に引っ込むように直角に屈曲した型枠とし、その幅方向に複数の住宅用残存化粧型枠を連結する際、継ぎ目に少しの隙間が形成されていても、突部５１ｄでカバーすることができ、見栄えに影響せず、化粧面の美観を保つことができる。
【００６３】
図８（ａ）〜（ｅ）は、外側に突出するように直角に屈曲した型枠を必要とする際に使用される住宅用残存化粧型枠を示す図であり、（ａ）は平面図、（ｂ）は左側面図、（ｃ）は正面図、（ｄ）は右側面図、（ｅ）は背面図である。
図８に示すように、住宅用残存化粧型枠７０は外側に突出するように直角に屈曲した部分の近傍のみから構成されており、図９に示すように屈曲部分に嵌め込むように設置する。
【００６４】
すなわち、型枠本体７１は、外表面が外側に突出するように直角に屈曲しているが、屈曲部分には、Ｒ面取りが施され、曲面となっており、一方、上部壁７４は直角に屈曲し、上部壁７４に形成された溝７４ａも直角に屈曲している。
左側壁７２及び右側壁７３は、住宅用残存化粧型枠１０と同様に形成されており、ジョイントレバー４０を用いて連結することができるようになっており、（ｄ）、（ｅ）に示すように、角材固定用金具係合部７１ａも形成されており、角材固定用金具３０を用いることにより、角材１０９でこれらの住宅用残存化粧型枠を固定することができるようになっている。
【００６５】
従って、図９に示したような屈曲形状を有する基礎コンクリートを形成する際にも、上述した構成の住宅用残存化粧型枠１０、５０、６０、７０を組み合わせ、連結することにより、対応することができる。
【００６６】
また、住宅用残存化粧型枠７０の上部壁７４には、コンクリート上面の高さを調節するための高さ調整リブ７７が立設されている。このように、住宅用残存化粧型枠７０に、高さ調整リブ７７が立設されているので、組み立てられた住宅用残存化粧型枠７０の上面が完全に水平にならない場合であっても、生コンクリート等を住宅用残存化粧型枠７０の上部まで流し込んだ際、コンクリートの上面の一部が上部壁７４の最上部より高くなっても、コンクリート等により化粧面が汚れるおそれがなく、化粧面の美観を保つことができる。
【００６７】
さらに、住宅用残存化粧型枠１０と同様に、外側表面７１ｂの端部には、幅方向に向かう突部、及び、切り欠きが形成されており、図８（ｃ）、（ｄ）においてＦ、Ｇで示す水平断面図は、図７（ｄ）、（ｅ）と同様となる。また、複数の住宅用残存化粧型枠７０を幅方向に連結する際、切り欠きと突部との組み合わせになるように構成されている。従って、図９に示したような屈曲形状を有する型枠の幅方向に複数の住宅用残存化粧型枠を連結する際、継ぎ目に少しの隙間が形成されていても、突部でカバーすることができ、見栄えに影響せず、化粧面の美観を保つことができる。
【００６８】
図１０は、本発明に係る住宅用残存化粧型枠を用いてベタ基礎の施工を行っている様子を示す断面図である。
ベタ基礎の施工方法については、背景技術の項でも説明したように、建物を建てるべき部分の全体に割栗石及び捨てコンクリートを形成するが、図１０に示すように、割栗石８１及び捨てコンクリート８２は、外縁部分を一段低くし、内側の高い部分との間には、内側から外側に向かって次第に低くなるようにスロープが形成されている。
【００６９】
ベース部８４は、捨てコンクリート８２の上に、建物を建てるべき部位全体が平らになるように、コンクリートを形成するため、ベース部８４の高さが、布基礎の施工方法の場合に比べて高くなり、住宅用残存化粧型枠１０の最下部がベース部８４の上面より低くなるように住宅用残存化粧型枠１０を設ける必要がある。
【００７０】
そこで、図１０に示すように、住宅用残存化粧型枠１０の中段部分に形成された横リブ１６ｂに、巾止金具１０７を係止するための係止部（係止孔）１６０ｂを形成し、この係止部１６０ｂに巾止金具１０７を係止することにより、住宅用残存化粧型枠１０と内側型枠８５との間に所定の空間が確保されるように、住宅用残存化粧型枠１０及び内側型枠８５を巾止金具１０７で固定することができる。なお、上部は、本発明に係る布基礎の施工方法の場合と同様に巾止接合用金具２０を用い、巾止金具１０７により固定する。
係止部（係止孔）１６０ｂは、住宅用残存化粧型枠１０の幅方向に所定間隔で複数設けられていてもよい。必要な寸法が半端である際には、住宅用残存化粧型枠１０を縦方向に切断して使用する場合があるが、係止部（係止孔）１６０ｂを所定間隔で複数設けた場合には、分割された複数の分割片のいずれにも係止部（係止孔）１６０ｂを存在させることができ、巾止金具１０７により固定することができるからである。
【００７１】
なお、中側に形成する基礎コンクリートについては、図９に示すように、従来と全く同様の方法で形成するので、ここでは、その説明を省略する。
上述のようにして住宅用残存化粧型枠及び内側型枠を固定した後、生コンクリートを流し込み、硬化させることにより、基礎コンクリート１０６は、住宅用残存化粧型枠１０と完全に一体化し、外面に化粧面を有する基礎コンクリート１０６を形成することができ、化粧モルタル等を形成する必要がない。
【００７２】
この住宅用残存化粧型枠は、上述した構成の異なる部分を除き、図１〜３に示した住宅用残存化粧型枠１０と同様に構成されており、最上部には、打設されるコンクリート上面の高さを調節するための高さ調整リブ１７が立設されるとともに、外側表面１１ｂの端部には、幅方向に向かう突部１１ｄ、及び、切り欠き１１ｃが形成されている。
【図面の簡単な説明】
【００７３】
【図１】（ａ）は、本発明に係る住宅用残存化粧型枠を用いた布基礎を模式的に示す断面図であり、（ｂ）は、（ａ）に示した住宅用残存化粧型枠において、Ａで示す最上部付近を拡大した拡大断面図である。
【図２】（ａ）〜（ｅ）は、上記住宅用残存化粧型枠を模式的に示す図であり、（ａ）は平面図、（ｂ）は左側面図、（ｃ）は正面図、（ｄ）は右側面図、（ｅ）は、背面図である。
【図３】（ａ）は、図２に示した図面のＢで示す部分の拡大水平断面図であり、（ｂ）は、図２に示した図面のＣで示す部分の拡大水平断面図である。
【図４】本発明に係る布基礎の施工に用いられる巾止接合用金具を示す図であり、（ａ）は側面図、（ｂ）は正面図、（ｃ）は底面図である。
【図５】（ａ）は、本発明に係る布基礎の施工に用いられる角材固定用金具の一例を示す側面図であり、（ｂ）は別の角材固定用金具を示す側面図である。
【図６】（ａ）は、ジョイントレバーを示す平面図であり、（ｂ）は、その正面図である。
【図７】内側に引っ込むように直角に屈曲した型枠を形成する際に使用される２つの住宅用残存化粧型枠を示す図であり、（ａ）は、上記２つの住宅用残存化粧型枠を連結した状態を示す平面図であり、（ｂ）、（ｃ）は、それぞれの住宅用残存化粧型枠を示す正面図である。（ｄ）、（ｅ）は、それぞれＤ、Ｅで示す部分の拡大水平断面図である。
【図８】（ａ）〜（ｅ）は、外側に突出するように直角に屈曲した型枠を必要とする際に使用される住宅用残存化粧型枠を示す図であり、（ａ）は平面図、（ｂ）は左側面図、（ｃ）は正面図、（ｄ）は右側面図、（ｅ）は背面図である。
【図９】屈曲部分を有する布基礎の形成状態を示す斜視図である。
【図１０】本発明に係る住宅用残存化粧型枠を用いてベタ基礎の施工を行っている様子を示す断面図である。
【図１１】従来の基礎の施工方法を示す断面図である。
【図１２】残存化粧型枠を用いて基礎コンクリートを形成する方法を示す斜視図である。
【符号の説明】
【００７４】
１０、５０、６０、７０  住宅用残存化粧型枠
１１、５１、６１、７１  型枠本体
１１ａ、７１ａ  角材固定用金具係合部
１１ｂ、５１ｂ、６１ｂ、７１ｂ  外側表面
１１ｃ、６１ｃ  切り欠き
１１ｄ、５１ｄ  突部
１２、５２、７２  左側壁
１３、６３、７３  右側壁
１４、７４  上部壁
１４ａ    溝部
１５  下部壁
１６ａ  縦リブ
１６ｂ  横リブ
１７、５７、６７  高さ調整リブ
１７ａ  切り欠き
１８  ジョンイト用貫通孔
２０  巾止接合用金具
２１  嵌合部
２２  係合部
２５、３０  角材固定用金具
２６  上部壁係合部
２７、３２  角材受け部
３１  係合部
４０  ジョイントレバー
８１、１０１  割栗石
８２、１０２  捨てコンクリート
８３ａ、８３ｂ、１０３ａ、１０３ｂ  鉄筋
８４、１０４  ベース部
１０６  基礎コンクリート
１０７  巾止金具
１０８  内側型枠
１０９  角材
１１０  釘
１６０ｂ  係止部
【図１】
0004680724.tif 000002
【図２】
0004680724.tif 000003
【図３】
0004680724.tif 000004
【図４】
0004680724.tif 000005
【図５】
0004680724.tif 000006
【図６】
0004680724.tif 000007
【図７】
0004680724.tif 000008
【図８】
0004680724.tif 000009
【図９】
0004680724.tif 000010
【図１０】
0004680724.tif 000011
【図１１】
0004680724.tif 000012
【図１２】
0004680724.tif 000013